(57)【要約】 【課題】極めて短時間でパッキングすることができ、且つ耐圧力の大きいパッキング構造を得ることが可能であると共に、非常に長期間に亘って止水機能を維持することができる。【解決手段】膨張可能な袋体２に吸水性ポリマーの粉末とセメントの粉末との混合物３が充填されているパッカー１を用い、パッカー１を中空ボルト６等の杆体の周囲に設け、パッカー１がボアホールＨの遮断すべき領域に設置されるように杆体及びパッカー１をボアホールＨに挿入し、袋体２の内部への水の浸入で吸水性ポリマーを膨潤することにより袋体２を膨らまして、ボアホールＨを遮断する。【選択図】図１
2006118130.tif 000002
【特許請求の範囲】
【請求項１】
パッキングすべき領域に設置される膨張可能な袋体に、吸水性ポリマーの粉末とセメントの粉末とが充填されていることを特徴とするパッカー。
【請求項２】
前記袋体が透水性であることを特徴とする請求項１記載のパッカー。
【請求項３】
前記袋体が防水性であり、前記袋体内部へ水を供給する水供給手段が設けられていることを特徴とする請求項１記載のパッカー。
【請求項４】
前記吸水性ポリマーの粉末とセメントの粉末とが、重量比９：１〜１：９の混合比率で充填されていることを特徴とする請求項１、２又は３記載のパッカー。
【請求項５】
膨張可能な袋体に吸水性ポリマーの粉末とセメントの粉末とが充填されているパッカーを杆体の周囲に設け、該パッカーがパッキングすべき領域に設置されるように杆体及びパッカーをボアホールに挿入し、袋体内部への水の浸入で吸水性ポリマーを膨潤することにより袋体を膨らましてパッキングすることを特徴とするパッキング方法。
【発明の詳細な説明】
【技術分野】
【０００１】
本発明は、例えば地盤補強工等で穿設されるボアホールに設けられ、ボアホール内の水や薬液等を止水するパッカー及びパッキング方法に関する。
【背景技術】
【０００２】
ボアホールをパッキングする方法として、（１）ゴム製の袋体をボアホール内に設け、その袋体内部に水、オイル、エア等を加圧注入することにより膨張させて遮水する方法、（２）袋体のパッカーをボアホール内に設け、内部に経時硬化性の固結材を加圧注入することにより膨張させて遮水する方法が知られているが、（１）は液圧の解放に伴って遮水状態でなくなるため、継続的な遮水のためには液圧をかけ続けなければならない、（２）は注入材が硬化して遮水機能を発揮するまで、長時間待たなければならないという不具合がある。
【０００３】
そして、係る不具合を解消可能な方法として、（３）吸水性ポリマーをボアホール内に設け、吸水性ポリマーを吸水膨張させて遮水する方法があり、前記方法は、設置後に比較的短時間で遮水機能を発揮し、且つ比較的長期に亘って遮水機能を維持することが可能である。（３）の方法として、特許文献１には、筒状部材のパッキング箇所を吸水性ポリマーで取り囲み、その外側にゴムチューブを被せ、ゴムチューブ内の吸水性ポリマーをゴムチューブ内に同梱した水又は外部から供給する水で吸水膨張させて遮水する方法が開示されている。
【０００４】
【特許文献１】特開平９−１５１６８６号公報
【発明の開示】
【発明が解決しようとする課題】
【０００５】
しかしながら、（３）の方法は、吸水性ポリマーの膨張速度が速いものにあっては耐圧力が小さく、耐圧力が大きいものでは膨張速度が遅いためにパッキングまでに時間がかかるという問題がある。更に、長期に亘っては徐々に吸水性ポリマーが水を放出するため、止水機能を維持できないという問題がある。
【０００６】
本発明は上記問題の解消を図るために提案するものであって、極めて短時間でパッキングすることができ、且つ耐圧力の大きいパッキング構造を得ることが可能であると共に、非常に長期間に亘って止水機能を維持することができるパッカー及びパッキング方法を提供することを目的とする。
【課題を解決するための手段】
【０００７】
本発明のパッカーは、パッキングすべき領域に設置される膨張可能な袋体に、吸水性ポリマーの粉末とセメントの粉末とが充填されていることを特徴とする。前記パッカーは、その袋体を透水性として、例えば袋体内部に浸透する湧水等で吸水性ポリマーを膨潤するもの、又は、その袋体を防水性とし、袋体内部に水を供給可能な注入パイプ或いは破断する水収納パック等の水供給手段を設け、水供給手段で供給する水で吸水性ポリマーを膨潤するものとすると好適である。
【０００８】
更に、本発明のパッカーは、前記吸水性ポリマーの粉末とセメントの粉末とが、重量比９：１〜１：９の混合比率で充填されていることを特徴とする。
【０００９】
また、本発明のパッキング方法は、膨張可能な袋体に吸水性ポリマーの粉末とセメントの粉末とが充填されているパッカーを杆体の周囲に設け、該パッカーがパッキングすべき領域に設置されるように杆体及びパッカーをボアホールに挿入し、袋体内部への水の浸入で吸水性ポリマーを膨潤することにより袋体を膨らましてパッキングすることを特徴とする。前記杆体は、例えば中空ボルト、ボルト、各種補強管、注入管等、或いはこれらの組み合わせなど適宜である。
【発明の効果】
【００１０】
本発明のパッカー及びパッキング方法では、袋体内の吸水性ポリマーが吸水膨張して、セメント密度を高めつつ袋体を膨張することにより、数秒以内など極めて短時間にパッキングすることができる。また、袋体内に供給した水或いは浸透した水でセメントの硬化が開始し、その後に袋体内部で吸水性ポリマーが手放した水と徐々に反応してセメントの強度が高まっていくので、耐圧力の大きいパッキング構造を得ることが可能であると共に、非常に長期間に亘って止水機能を維持することができる。
【００１１】
また、吸水性ポリマーとセメントも粉体であるため、膨張前の状態ではパッカーの柔軟性が高いことから、ボルトなど杆体の周囲に容易に設けることができる。更に、パッカーの柔軟性と吸水性ポリマーの高い膨張性により、ボアホールに孔壁に若干の凹凸がある場合にも、確実に止水部分を閉塞することができる。
【００１２】
また、吸水性ポリマーは高価であるが、セメントと混合することで吸水性ポリマーの使用量を削減することができ、コスト低減を図ることができる。
【発明を実施するための最良の形態】
【００１３】
以下では、本発明について図に示す実施形態に基づき説明する。尚、各実施形態やその施工例の構成は、適用可能な範囲で適宜他の実施形態について適用可能である。
【００１４】
第１実施形態のパッカー１は、図１に示すように、防水性の布を縫製したドーナツ状の袋体２を有する。袋体２には、その中央に中空ボルト６等の杆体を挿通させる挿通穴４が設けられ、挿通穴４の外周である内周面２ａが中空ボルト６等の杆体に対応した内径になっていると共に、膨張時に於ける外表面２ｂの径方向突出部分の外径が、ボアホール・鋼管等の止水する領域を閉塞可能な径になっている。
【００１５】
袋体２の内周面２ａと外表面２ｂとの間の内部には、吸水性ポリマーの粉末とセメントの粉末との混合物３が充填されている。前記吸水性ポリマーの種類やセメントの種類は適宜であるが、吸水性ポリマーにはポリアクリル酸ナトリウム等に代表されるものを用いる。本実施例では、吸水性ポリマーとして高吸水性樹脂のサンダイヤ株式会社製「アクアパール」を用い、セメントとして急硬セメントなどの急結性のあるセメントを用い、吸水性ポリマーとセメントとの混合比率（重量比）を１：４としているが、必要に応じてこれらにセメントの添加剤、例えば膨張材、減水剤、急結剤、及び硅紗等を混和することも有効である。
【００１６】
尚、吸水性ポリマーとセメントとの混合比率（重量比）の最も好ましい範囲は、１：１〜１：６であるが、有効と考えられるのは９：１〜１：９、使用可能と考えられるのは、９９：１〜１：９９の範囲である。
【００１７】
更に、内周面２ａと外表面２ｂとの間の所定位置には挿通穴２ｃが形成され、袋体２の内部に水を供給するパッカー用注入管５が挿通穴２ｃに差し込んで設置されている。尚、袋体２の内部へ水を供給する水供給手段は、パッカー用注入管５以外にも、例えば後述する水収納パック１２など適宜である。
【００１８】
上記第１実施形態のパッカー１と中空ボルト６を用いて地盤補強工を施す場合には、例えば図３（ａ）に示すように、吸水性ポリマーの粉末とセメントの粉末との混合物３が充填されたパッカー１の挿通穴４に中空ボルト６を挿通して、中空ボルト６の後端近傍の周囲にパッカー１を周設する。その後、地盤Ｇに斜め上方へ向かって穿設されたボアホールＨに中空ボルト６及びパッカー１を挿入して、ボアホールの口元近傍など止水すべき部分にパッカー１を配置し、パッカー用注入管５から袋体２の内部へ水を供給し、吸水性ポリマー３ａを吸水膨張させることにより袋体２を膨らましてパッキングする（図３（ｂ））。その後、中空ボルト６に固結材を注入して固結領域７を形成し、地盤補強が完了する（図３（ｃ））。
【００１９】
上記パッカー１は、第１段階として、図１（ａ）、図２（ａ）の袋体２の膨張前の状態から、パッカー用注入管５を介して袋体２の内部に水を供給すると、吸水性ポリマー３ａが吸水膨張して、その周囲のセメント３ｂの密度を高めつつ袋体２がパッキングすべき領域の形状に沿って膨張し、図１（ｂ）、図２（ｂ）の膨張後の状態となる。前記袋体２の膨張によるパッキング機能は数秒以内など極めて短時間に得られる。そして、供給される水でセメントが硬化を開始し、袋体２の内部で吸水性ポリマー３ａが徐々に手放した水と反応してセメントの硬化が進行し、強度が高いパッキング構造が得られる。
【００２０】
また、上記施工例以外にもパッカー１の施工方法は適宜であり、例えば別の施工例として、地盤Ｇの壁面から地中に穿設されたボアホールＨに、パッカー用注入管５を有するパッカー１が周設された中空ボルト６を挿設し、止水部分にパッカー１を配置する構成（図４（ａ））、或いは、パッカー１に杆体として中空ボルト６及びエア抜きパイプ８を挿入して取り付け、ボアホールＨに、パッカー１が周設された中空ボルト６及びエア抜きパイプ８を挿設し、止水部分にパッカー１を配置する構成（図４（ｂ））、或いは、パッカー１に杆体としてボルト９及び注入パイプ１０を挿入して取り付け、ボアホールＨに、パッカー１が周設されたボルト９及び注入パイプ１０を挿設し、止水部分にパッカー１を配置する構成（図４（ｃ））、或いは、パッカー１に杆体としてボルト９、注入パイプ１０、エア抜きパイプ８を挿入して取り付け、ボアホールＨに、パッカー１が周設されたボルト９、注入パイプ１０、エア抜きパイプ８を挿設し、止水部分にパッカー１を配置する構成（図４（ｄ））、或いは、ボアホールＨに、鋼管や穴開き管等の補強管１１を打設し、補強管１１内にパッカー１が周設された中空ボルト６を挿設し、補強管１１内の止水部分にパッカー１を配置する構成（図４（ｅ））等とすることが可能である。尚、パッカー１は地盤補強以外の、地盤の調査・測定や地盤への薬液注入等でボアホールを設ける場合にも適用することができる。
【００２１】
次に、他の実施形態のパッカー１について説明する。
【００２２】
第２実施形態のパッカー１は、図５に示すように、第１実施形態と同様に内周面２ａと外表面２ｂとで構成されるドーナツ状の袋体２を有するが、袋体２は透水性の生地で形成されている。袋体２の内部には、吸水性ポリマーの粉末とセメントの粉末との混合物３が充填されている。また、第１実施形態と異なり、袋体２には、パッカー用注入管５を挿通する挿通穴２ｃは設けられておらず、袋体２の内周面２ａと外表面２ｂとは完全に密閉されている。そして、第２実施形態のパッカー１は、図５（ａ）の袋体２の膨張前の状態から、例えばボアホールＨ内の湧水など周囲の水が透水性の袋体２の内部へ浸透し、吸水性ポリマー３ａが吸水膨張して、その周囲のセメント３ｂの密度を高めつつ袋体２が膨張し（図３参照）、図５（ｂ）の膨張後の状態となる。尚、防水性の袋体２のパッカー１と透水性の袋体２のパッカー１とを現場状況に応じて適宜使い分けると好適である。
【００２３】
また、別例として、第３実施形態のパッカー１は、図６に示すように、内周面２ａと外表面２ｂとで構成されるドーナツ状で、防水性の生地で完全密閉して形成されている袋体２を有し、袋体２の内部に、破断紐１３を引っ張ると破断する水収納パック１２を配設すると共に、吸水性ポリマーの粉末とセメントの粉末との混合物を充填する構成である。前記パッカー１を使用する際には、ボアホールＨにセットした後に破断紐１３を引っ張って水収納パック１２を破断し、水収納パック１２内の水を混合物に浸透させて吸水性ポリマーを膨張させる。尚、水収納パック１２を破断させる手段は適宜であり、ボアホールＨの外側から鋭利な鋼棒等で突き破っても良い。
【００２４】
また、別例として、第４実施形態のパッカー１は、図７に示すように、平らな枕形状の袋体２を有し、その袋体２の内部に吸水性ポリマーの粉末とセメントの粉末の混合物３が充填されたものであって、平らな枕状のパッカー１を中空ボルト６等の杆体の所定位置に、予め或いは施工現場で巻き付けて設置する。前記袋体２の内部の混合物３への水の供給は、袋体２を透水性として湧水等の浸透で供給する他、防水性の袋体２の内部へパッカー用注入管を介して水を供給する構成としてもよい。
【実施例】
【００２５】
次に、第１実施形態のパッカー１で行った耐圧実験例について説明する。
【００２６】
耐圧実験では、内径φ５３ｍｍの鋼管を模擬ボアホールとした加圧ケース１４の口元近傍部分に、吸水性ポリマーとセメントの混合物が充填されたパッカー１を配置すると共に、パッカー１の中央部の挿通穴４に導水管１５を挿設する。更に、パッカー用注入管５を介して水を供給し、吸水性ポリマーを膨張させることでパッカー１を膨張させ、加圧ケース１４の口元近傍部分を閉塞する。そして、膨張直後の状態で、コンプレッサ１６で圧力をかけて導水管１５から加圧ケース１４内に水を供給した結果、パッカー１は水圧１０ｋｇ／ｃｍ２に耐えることができた。従って、例えば地盤のボアホール内にパッカーをセットした直後に、パッカー１の杆体を介して注入材を注入する場合にも、１０ｋｇ／ｃｍ２迄の注入圧力に耐えることが可能である。
【産業上の利用可能性】
【００２７】
本発明は、例えばボアホールの穿設を伴うロックボルトやアンカーを設置する補強工、或いは先受工、鏡補強工、薬液注入工等を行う場合や、ボアホールを介して地盤の調査・測定を行う場合や、地盤にボアホールを穿設して薬液注入を行う場合等に、ボアホール内の水や薬液等を止水するために利用可能である。
【図面の簡単な説明】
【００２８】
【図１】（ａ）は第１実施形態のパッカーの膨張前の状態を示す斜視図、（ｂ）は同図（ａ）のパッカーの膨張後の状態を示す斜視図。
【図２】（ａ）は混合された吸水性ポリマーとセメントの膨張前の状態を示す説明図、（ｂ）は同図（ａ）の膨張後の状態を示す説明図。
【図３】（ａ）〜（ｃ）は第１実施形態のパッカーによる施工例の工程説明図。
【図４】（ａ）〜（ｅ）は第１実施形態のパッカーによる他の施工例の説明図。
【図５】（ａ）は第２実施形態のパッカーの膨張前の状態を示す斜視図、（ｂ）は同図（ａ）のパッカーの膨張後の状態を示す斜視図。
【図６】第３実施形態のパッカーを示す斜視図。
【図７】第４実施形態のパッカーを示す斜視図。
【図８】パッカーの耐圧実験を説明する説明図。
【符号の説明】
【００２９】
１  パッカー
２  袋体
３  吸水性ポリマーとセメントの混合物
３ａ  吸水性ポリマー
３ｂ  セメント
５  パッカー用注入管
６  中空ボルト
７  固結領域
１２  水収納パック
１３  破断紐
Ｇ  地盤
Ｈ  ボアホール
【図１】
2006118130.tif 000003
【図２】
2006118130.tif 000004
【図３】
2006118130.tif 000005
【図４】
2006118130.tif 000006
【図５】
2006118130.tif 000007
【図６】
2006118130.tif 000008
【図７】
2006118130.tif 000009
【図８】
2006118130.tif 000010